(57)【要約】【課題】ポイントサービスなどのアプリケーションを動かし、顧客へのサービスを提供する場合、ポイントは取引を完了した時点で最終決定となるため、ＩＣカードを決済処理装置内に挿入した状態で安全に保管し、取引完了時に確実に返却しなければならない。【解決手段】決済処理装置１は、制御部と、情報入力部と、前記情報入力部から入力された情報や確認、誘導、警告のための情報を表示する表示部と、基地局１１との通信を行なうための通信部と、車両等の外部装置に取り付けるための取付部とから構成する。決済処理システムは、決済処理装置１と、給油のための計量機１９と、決済処理装置１や外部情報処理センタ１６等と通信を行なう基地局１１と、売上処理や計量機１９に給油指示を行なうＰＯＳ１２とから構成する。【選択図】  図８
2004252738.tif 000002
【特許請求の範囲】
【請求項１】
制御部と、情報入力部と、前記情報入力部から入力された情報や確認、誘導、警告等のための情報を表示する表示部と、基地局との通信を行なうための通信部と、車両等の外部装置に取り付けるための取付部とを有する決済処理装置。
【請求項２】
制御部と、情報入力部と前記情報入力部から入力された情報や確認、誘導、警告等のための情報を表示する表示部と基地局との通信を行なうための通信部と車両等の外部装置に取り付けるための取付部とを有する決済処理装置と、給油のための計量機と、決済処理装置や外部情報処理センタ等と通信を行なう基地局と、売上処理や計量機に給油指示を行なうＰＯＳとからなる決済処理システム。
【請求項３】
制御部と、情報入力部と前記情報入力部から入力された情報や確認、誘導、警告等のための情報を表示する表示部と基地局との通信を行なうための通信部と車両等の外部装置に取り付けるための取付部とを有する決済処理装置と、給油のための計量機と、決済処理装置や外部情報処理センタ等と通信を行なう基地局と、売上処理や計量機に給油指示を行なうＰＯＳとからなり、前記情報入力部から入力したカード種別、購入物の種類、及び、数量により決済方法、決済金額を決定し、売上処理や給油を行なう決済処理システム。
【請求項４】
取付部は磁石、吸盤、フック、ストラップ、引っ掛け穴等の何れかからなる請求項１、２、３記載の決済処理装置。
【請求項５】
一連の処理を終了したときに決済処理装置内部または外部からの指示により発音できる音源部を有する請求項１、２、３記載の決済処理装置。
【請求項６】
情報入力部から入力したカード種別により基地局からのデータ転送先を切り替える請求項３記載の決済処理システム。
【請求項７】
制御部と、情報入力部と前記情報入力部から入力された情報や確認、誘導、警告のための情報を表示する表示部と基地局との通信を行なうための通信部と車両等の外部装置に取り付けるための取付部とを有する決済処理装置と、給油のための計量機と、決済処理装置や外部情報処理センタ等と通信を行なう基地局と、売上処理や計量機に給油指示を行なうＰＯＳとからなり、前記情報入力部から入力した購入物の種類、及び、数量により決済金額を決定し、前記決済金額に応じたポイントを前記情報入力部に挿入されたカード情報媒体に書き込む決済処理システム。
【発明の詳細な説明】
【０００１】
【発明の属する技術分野】
本発明はＩＣクレジットカードやＩＣデビットカードさらにはＩＣ化された元売ハウスカードを使用した売上や給油の決済処理に関するものである。
【０００２】
【従来の技術】
これまで、ガソリン等の燃料油やその他商品を販売するサービスステーション（以下ＳＳと略す）では決済の手段として、現金決済、掛売決済、クレジット決済、デビット決済などの決済が用いられてきた。それぞれの決済のために顧客に現金会員、掛会員などの会員（メンバー）カードを配布し、会員の固定化と顧客情報の入力の簡易化を行なってきた。また、クレジットカードやデビットカードの取り扱いも可能とし、ＳＳでは他業界をリードする形でカードによる決済が多く行なわれてきた。こうした決済に使われるカードはこれまでほとんど磁気カードが使用されており、顧客が所有する磁気カードを読み取って、顧客ごとの取引データを作成し、決済処理を行なってきた。
【０００３】
顧客から預かった磁気カードはＰＯＳに併設されたカードリーダで読み取られ、使用可能なカードであるかどうかの認証を行ない、使用可能であれば、決済をカードで行なうことができる。認証は、カードリーダで読み取られたカードデータをＰＯＳを介して認証のための情報処理センタに送信し、そこからの認証をＰＯＳが受信することで行なわれる。
【０００４】
従来のシステムの一例として、ＳＳに設置されたＰＯＳとオーソリセンタを通信回線で接続し、カード会員のカードをＰＯＳに併設されたカードリーダで読み取り、認証を行なった後、給油売上金額の決済をＰＯＳを介して行なうものが知られている（例えば特許文献１参照）。
【０００５】
また、ＰＯＳや固定式外設端末機に無線通信機能を持たせ、ＳＳのフィールドスタッフが手元で操作可能な無線通信機能付可搬式端末機を操作して給油や売上を行なうことにより、設置工事の簡単化やフィールドスタッフの移動量削減化を実現しようとするものが知られている（例えば特許文献２参照）。
【０００６】
しかしながら、磁気カードを利用したこうしたシステムでは、クレジットカードなどのカードを偽造し、他人になりすまして決済をするなどの違法行為が多発したことなどにより、ＩＣチップをカードに埋設したＩＣカードが新しいクレジットカードとして採用され始めてきた。
【０００７】
ＩＣカードは接触式と非接触式に大きく分かれ、それぞれ国際規格で基本的な仕様が定められており、接触式はＩＳＯ７８１６シリーズ、非接触式はＩＳＯ１４４４３シリーズ、ＩＳＯ１５６９３シリーズに規定されている。また、クレジットカードとして現在採用されている接触式ＩＣカードに対してはクレジットカード仕様として国際標準規格であるＥＭＶ規格が制定されている。決済処理装置はこのＥＭＶ規格の認定を取得しなければならない。
【０００８】
決済処理装置のハード、ソフトの変更を行なう時、多くの場合、ＥＭＶの認定の取り直しが必要となる。従来のクレジットカードのようにＰＯＳを介してデータの送受信を行なうとＰＯＳ側のハード、ソフトの変更時、必ずＥＭＶ認定を取り直さなければならず、ＩＣカード決済処理機能を分離してシステムを構成することによって、ＰＯＳのハード、ソフトの変更が発生してもＥＭＶ認定について実運用上支障のないようにする必要がある。
【０００９】
【特許文献１】
特開２００１−３９４９９号公報
【特許文献２】
特開平６−４４４６３号公報
【００１０】
【発明が解決しようとする課題】
ＩＣカードを用いて決済を行い、売上などに関わるポイントなどをＩＣカードに書き込む場合、認証処理や売上処理が全て終了した後でないと書き込む情報が確定しないため、確定するまでの間は端末機がＩＣカードを取り込んだままとなる。特に、ガソリンスタンドなど同時に複数のカード処理が行なわれる状況においては、ＩＣカードの安全保管が問題となる。
【００１１】
本願明は、決済中のＩＣカードを安全に保管できる決済処理装置および決済処理システムを実現することを目的とする。
【００１２】
【課題を解決するための手段】
上記課題を解決するため、本発明の決済処理装置は、制御部と、情報入力部と、前記情報入力部から入力された情報や確認、誘導、警告等のための情報を表示する表示部と、基地局との通信を行なうための通信部と、車両等の外部装置に取り付けるための取付部とからなる。そして、外部装置に取り付けるための取付部は、磁石、吸盤、フック、ストラップ、引っ掛け穴などの何れかからなる。
【００１３】
また、一連の処理を終了したときに、決済処理装置内部または外部からの指示により誘導や警告のためのメッセージや音楽、アラーム音を発生するための音源部を設ける。
【００１４】
本発明の決済処理システムは、制御部と、情報入力部と前記情報入力部から入力された情報や確認、誘導、警告等のための情報を表示する表示部と基地局との通信を行なうための通信部と車両等の外部装置に取り付けるための取付部とを有する決済処理装置と、給油のための計量機と、決済処理装置や外部情報処理センタ等と通信を行なう基地局と、売上処理や計量機に給油指示を行なうＰＯＳとからなる。そして、前記決済処理装置の情報入力部から入力したカード種別、購入物の種類、及び、数量により決済方法、決済金額を決定し、売上処理や給油を行なう。このとき、情報入力部から入力したカード種別により基地局からのデータ転送先を切り替えて通信する。
【００１５】
また、売上や給油などに対する決済金額に応じてポイントを算出し、情報入力部に挿入されたＩＣカードなどのカード情報媒体に書き込み、ポイントに応じた顧客へのサービスを提供できるようにする。
【００１６】
【発明の実施の形態】
図１は本発明の決済処理装置１の概略構成を示すブロック図であり、ＣＰＵやメモリなどからなる制御部と、液晶や蛍光表示管などよりなる表示部と、キーＳＷやＩＣカードリーダライタや磁気カードリーダなどからなる情報入力部と、ＢｌｕｅｔｏｏｔｈやＰＨＳなどにより基地局と通信を行なう通信部と、制御部からの指示やＰＯＳなどの外部装置からの指示により確認や誘導や警告のためのメッセージや音楽やアラームなどを発生する音源部とからなる。
【００１７】
図２は上記決済処理装置１の外観図であり、キーＳＷ３と、ＩＣカードリーダライタ２と、磁気カードリーダ４と、表示部５と、外部装置に取り付けるための取付部６と、信号を送受信する通信用アンテナ７とを備えている。この外観図では、取付部６として引っ掛け穴を形成したものを示している。そして、この取付部６により、決済処理装置１を所望の場所に取り付けることができる。
【００１８】
また、決済処理装置１は、ＩＣクレジットカードの国際標準仕様であるＥＭＶ規格の認定やその他国際ブランド認定、国内アプリ認定を取得しているものである。
【００１９】
また、図３、図４、図５は決済処理装置１の取付部について、異なる例を示している。取付部として、図３は吸盤８の場合を、図４はフック９の場合を、図５はストラップ１０の場合をそれぞれ示している。そして、これら吸盤８やフック９やストラップ１０により車両等の外部装置に取り付けることができる。
【００２０】
図６、図７に決済処理装置１を外部装置に取り付けた例を示す。図６は、給油のために入車中の車のフロントガラスに吸盤８により取り付けた例であり、図７はガソリンスタントにある計量機横の精算ユニットに取り付けた例を示している。
【００２１】
次に、本発明の決済処理システムについて説明する。
【００２２】
図８は決済処理システムの概略構成を示す図であり、１は決済処理装置、１９は給油のための計量機、１１は決済処理装置１やＩＣカード用情報処理センタ１６や磁気カード用情報処理センタ２０等と通信を行なう基地局、１２は売上処理や計量機１９に対して給油指示を行なうＰＯＳ、１７は設定等のプログラムを決済処理装置１に送るプログラムダウンロードセンタ、１４は洗車機、１５は伝票発行機である。
【００２３】
本システムにおいて、決済処理装置１はＳＳのフィールドスタッフが携帯しており、このフィールドスタッフは来店した顧客と対面しながら給油指示や洗車指示およびタイヤ、バッテリ、アクセサリ等（以下ＴＢＡと略す）の商品の売上入力を行なう。そして、顧客から預かった磁気カードまたはＩＣカードが決済処理装置１へ挿入され、これにより顧客情報が入力される。デビットカードやＩＣクレジットカードを使用する場合には、決済処理装置１を車に乗っている顧客に渡し、顧客が暗証番号の入力を行なう。これは決済処理装置１が手渡し可能な携帯サイズに構成されていることと、通信機能を有していることによるものであり、顧客は車から降りることなく決済処理装置１を操作して決済処理を行うことができる。そして、暗証番号やカードデータによる認証を受けて問題がなければ決済の処理が進められる。
【００２４】
従来、ＳＳフィールドからの給油やＴＢＡ販売の入力はＳＳのフィールドに設置された外設端末機から行なっていたが、それらの機能を決済処理装置１に持たせることで、外設端末機がなくてもＳＳフィールド業務に支障をきたすことはなくなる。
【００２５】
また、決済処理装置１からは、通信により給油や売上に関する情報が基地局１１へ送られ、その応答が基地局１１から決済処理装置１へ送られる。一方、給油や売上などに必要な設定データや決済処理装置用のプログラムが、ＰＯＳ１２やプログラムダウンロードセンタ１７などから基地局１１を介して決済処理装置１へ送られる。決済処理装置１から基地局１１へ送られた全データのうち、給油などの屋外機器制御用データや売上処理データは基地局１１からＰＯＳ１２へ転送されるが、決済処理データは入力されたカードの種別により転送先が決定され、ＩＣカード用情報処理センタ１６または磁気カード用情報処理センタ２０に送信される。
【００２６】
ＰＯＳ１２は決済処理装置１からの給油や洗車の指示およびＴＢＡ販売の売上入力を受けて、計量機１９や洗車機１４への制御操作や売上登録、伝票発行、売上データ送信処理を実行する。伝票はＰＯＳ１２に内蔵するプリンタで発行される場合や独立した伝票発行機１５で発行される場合がある。また、決済処理装置１にプリンタを内蔵させてもよい。
【００２７】
給油や売上処理に対する決済方法は、入力したカードの種別により決定する。カードを持たない現金フリー客や、各種磁気カード（現金会員カード、掛会員カード、デビットカード、クレジットカード）の場合、決済処理装置１との送受信データは基地局１１を介してＰＯＳ１２へデータ転送され、ＰＯＳ１２から所定の転送先へデータが送信される。ＩＣデビットカード、ＩＣクレジットカードの場合、決済処理データは決済処理装置１から基地局１１を介して直接、所定のＩＣデビットカードまたはＩＣクレジットカード用情報処理センタ１６へ転送される。
【００２８】
こうして決定された給油や売上に対する決済金額に応じてポイントが付与され、決済処理装置１に挿入されているＩＣカードにポイントが書き込まれる。そして、記録された累積ポイントは顧客へのサービス提供用として使用される。
【００２９】
ポイント算出のタイミングは給油や売上が完了し、決済処理が完了した時点である。従って、一連の取引が完了するまではカードを決済処理装置１に挿入しておく必要がある。そして、その間カードの盗難や紛失等を防止するため、カードが挿入された決済処理装置１を顧客やＳＳのフィールドスタッフの目の届く所に一時的に取り付け保管しておく必要がある。本発明の決済処理装置１は外部装置である車両やＳＳフィールドの屋外機器等に取り付ける手段としての取付部６を備えているので、人の目の届く場所に取り付けることができる。このように、人の目の届く位置にカードが挿入された決済処理装置１を保持しておくことで、カードの安全保管を実現することができる。
【００３０】
また、取引が完了するとカードを顧客へ返却する必要がある。このため、本発明の決済処理装置１は、メッセージや音楽、アラームなどを発する音源部を備えており、一連の処理が終了した後、決済処理装置１の内部または外部からの指示により処理が終了しカードを取り出すことが可能となった旨のメッセージやアラームを発してフィールドスタッフ等に報知する。これにより、カードの取り忘れを防止して顧客への確実な返却を実現する。
【００３１】
上記のように、本発明によれば、ＩＣクレジットカードによる決済を行なう場合、特にポイントサービスの提供などで取引完了までカードの保持が必要となるが、取付部により車や外部装置など目立つ所への取り付けが可能であること、および取引完了とともにメッセージ、音楽、アラームなどを音源から発生することが可能であることから、決済中にカードの安全保管を実現し、また、カード忘れ防止を防止することができる。
【００３２】
また、本実施の形態において、ＩＣクレジットカードによる決済処理が、ＰＯＳなどを経由せず、決済処理装置から基地局を介して直接ＩＣクレジットカード用情報処理センタと接続され通信するようにしているため、決済処理装置を除く他のシステム構成機器にハード、ソフトの変更が発生した場合でも、ＩＣクレジット処理のブランド認定試験を取り直す必要がないというメリットがある。
【００３３】
また、分離したＩＣカード決済処理機能部に売上処理や給油指示のための情報を入力させることにより、ＩＣカード決済処理機能とＳＳフィールド業務機能とのマルチ機能を実現し、業務効率の向上、サービスの向上を可能とするものである。
【００３４】
また、給油指示や売上入力は基地局を介してＰＯＳと接続され、ＰＯＳにより屋外機器の制御や売上登録が実行されるため、従来の据置型の外設端末機が不要となる。
【００３５】
【発明の効果】
以上のように、本発明の決済処理装置および決済処理システムは、決済処理装置に外部機器への取付が可能な取付部を設けたことにより、決済中のＩＣカードを安全に保管することができる。
【図面の簡単な説明】
【図１】本発明の決済処理装置の概要を示すブロック図
【図２】本発明の決済処理装置の外観図
【図３】本発明の決済処理装置の外部装置への取り付けを行う取付部を示す図
【図４】本発明の決済処理装置の外部装置への取り付けを行う取付部を示す図
【図５】本発明の決済処理装置の外部装置への取り付けを行う取付部を示す図
【図６】本発明の決済処理装置の取り付け例を示す図
【図７】本発明の決済処理装置の取り付け例を示す図
【図８】本発明の決済処理システムの概略構成図
【符号の説明】
１    決済処理装置
２    ＩＣカードリーダライタ
３    キーＳＷ
４    磁気カードリーダ
５    表示部
６    取付部
７    アンテナ
８    吸盤
９    フック
１０  ストラップ
１１  基地局
１２  ＰＯＳ
１４  洗車機
１５  独立した伝票発行機
１６  ＩＣカード用情報処理センタ
１７  ダウンロードセンタ
１８  外設端末機
１９  計量機
２０  磁気カード用情報処理センタ
【図１】
2004252738.tif 000003
【図２】
2004252738.tif 000004
【図３】
2004252738.tif 000005
【図４】
2004252738.tif 000006
【図５】
2004252738.tif 000007
【図６】
2004252738.tif 000008
【図７】
2004252738.tif 000009
【図８】
2004252738.tif 000010